(57)【特許請求の範囲】
【請求項１】
取り込んだデータを電気的に処理する電子機器であって、着脱可能な媒体を収納する収納ユニットと、該収納ユニットの一部を構成する開閉部材と、前記媒体を前記収納ユニットから取り出すことを阻止する阻止手段と、前記開閉部材が閉じている場合に、前記媒体と電子機器間のデータの通信を可能とする第一の状態と、前記開閉部材が開いている場合に、前記媒体と電子機器間のデータの通信を禁止する第二の状態と、前記阻止手段によって前記媒体の取り出しを禁止する第三の状態と、前記阻止手段によって前記媒体の取り出しを許容する第四の状態、の四つの状態を検知する第一の検知手段と、前記第一の状態か前記第三の状態の何れか若しくは、その両方の状態で、前記媒体と電子機器間のデータの通信を可能とする制御手段と、を有することを特徴とする電子機器。
【請求項２】
前記データの通信時に電子機器の電源電圧を検知する第二の検知手段を持ち、電源電圧が所定値以下になった場合、通信を禁止することを特徴とする請求項１に記載の電子機器。
【請求項３】
収納ユニットに前記媒体が装填されていない場合は、電子機器内蔵の記録媒体にデータを記録することを特徴とする請求項１または２に記載の電子機器。
【請求項４】
前記媒体と通信可能であるかどうかを検知する第三の検知手段を持ち、記録不可能であると判断された場合は、記録媒体のエラーであることを出力し、電子機器内蔵の記録媒体に通信すべきデータを記録することを特徴とする請求項１または２に記載の電子機器。
【請求項５】
開閉部材は電子機器本体に対して着脱自在であることを特徴とする請求項１〜４のいずれかに記載の電子機器。
【請求項６】
前記媒体は、記録媒体を含むことを特徴とする請求項１〜５のいずれかに記載の電子機器。
【請求項７】
前記媒体は、伝達媒体を含むことを特徴とする請求項１〜６のいずれかに記載の電子機器。
【請求項８】
取り込んだデータを電気的に処理する電子機器であって、前記電子機器に対し着脱可能な媒体を収納する収納ユニットと、前記電子機器本体に対し前記収納ユニットが開状態及び閉状態になるように構成した開閉部材と、前記媒体が前記収納ユニットから出るのを阻止する阻止手段と、前記開閉部材が開状態でかつ前記阻止手段により前記媒体が前記収納ユニットから出るのを阻止されていなければ前記電子機器と前記媒体間のデータ通信を可能としないが、前記開閉部材が閉状態であれば前記阻止手段の状態にかかわらず前記電子機器と前記媒体間のデータ通信を可能とし、前記開閉部材が開状態であっても前記阻止手段により前記媒体が前記収納ユニットから出るのを阻止されていれば前記電子機器と前記媒体間のデータ通信を可能とする制御手段と、を備えることを特徴とする電子機器。
【請求項９】
取り込んだデータを電気的に処理する電子機器であって、前記電子機器に対し着脱可能な第１の媒体の全体を収納し、かつ前記電子機器に対し着脱可能な突起のある第２の媒体を部分的に収納する収納ユニットと、前記電子機器本体に対し前記収納ユニットが開状態及び閉状態になるよう構成した開閉部材と、前記第１の媒体及び前記第２の媒体が前記収納ユニットから出るのを阻止する阻止手段と、前記第１の媒体を前記収納ユニットに収納した際に、前記開閉部材が開状態でかつ前記阻止手段により前記第１の媒体が前記収納ユニットから出るのを阻止されていなければ前記電子機器と前記第１の媒体間のデータ通信を可能としないが、前記開閉部材が閉状態であれば前記阻止手段の状態にかかわらず前記電子機器と前記第１の媒体間のデータ通信を可能とする制御手段と、を備えることを特徴とする電子機器。
【請求項１０】
取り込んだデータを電気的に処理する電子機器であって、前記電子機器に対し着脱可能な第１の媒体の全体を収納し、かつ前記電子機器に対し着脱可能な突起のある第２の媒体を部分的に収納する収納ユニットと、前記電子機器本体に対し前記収納ユニットが開状態及び閉状態になるよう構成した開閉部材と、前記第１の媒体及び前記第２の媒体が前記収納ユニットから出るのを阻止する阻止手段と、前記第２の媒体を前記収納ユニットに収納した際に、前記開閉部材が開状態でかつ前記阻止手段により前記第２の媒体が前記収納ユニットから出るのを阻止されていなければ前記電子機器と前記媒体間のデータ通信を可能としないが、前記開閉部材が開状態であっても前記阻止手段により前記第２の媒体が前記収納ユニットから出るのを阻止されていれば前記電子機器と前記第２の媒体間のデータ通信を可能とする制御手段と、を備えることを特徴とする電子機器。
【発明の詳細な説明】
【０００１】
【発明の属する技術分野】
本発明は、データの通信を行う着脱可能な媒体を備えた電子機器に関する。
【０００２】
【従来の技術】
図１０は、従来の電子機器の例としての一眼レフタイプの電子カメラの構成を示したブロック図であり、図１１は、その撮影フローチャートである。図１０、１１を用いて従来の電子機器の例としての一眼レフタイプの電子カメラの構成及び撮影レンズを通過した被写体光束が固体撮像素子（ＣＣＤ）に到達し、ＣＣＤ上に写った撮影画像が画像処理回路内で諸々の変換処理を施され、最後にＰＣカード等のカード型記録媒体に画像データが書き込まれるまでの一連の動作について説明する。
【０００３】
図１０、１１に於いて、先ず最初に、ステップＳ１００１でメインスイッチ（不図示）を操作して電源をオン状態にすると、ステップＳ１００２でメインマイコン５０１は、電池の電源状態をチェックし、サブマイコン５０２を介して液晶パネル５０３に電源状態を表示し、更に、メインマイコン５０１内のＣＰＵを初期状態にリセットした後、撮影可能なスタンバイ状態になる。ステップＳ１００３で撮影者がシャッターレリーズ釦を一段目まで押下すると（ＳＷ１）、ステップＳ１００４で既知の測光手段及び測距手段により測光演算、測距演算が行われる。更に、その演算結果を基にメインマイコン５０１は自動焦点駆動部５０４にフォーカスレンズ群５０５を所定量移動させ、撮影レンズの焦点が最適位置に来るように調節する。ステップＳ１００５でシャッターレリーズ釦を更に押すと（ＳＷ２）、ステップＳ１００６で絞り駆動部材５０６により最適な光量になるように絞り５０７が調整される。ステップＳ１００７で主ミラーがアップするとステップＳ１００８でカメラ側マウントに着脱可能な不図示の撮影レンズ内の対物レンズ群を通った被写体光束は絞り５０７にて光束を制限された後、撮影光束の特定の波長をカット、又はその高周波成分を除去する光学フィルターを通過する。ステップＳ１００８ではシャッター先幕が走行し、所定時間経過後にシャッター後幕が走行すると焦点結像面に取り付けられたＣＣＤ等の固体撮像素子５０８上に被写体像を結像する。この後ステップＳ１００９で主ミラーがダウンするとステップＳ１０１０では所定時間蓄積された被写体光束は固体撮像素子５０８において光の強さに比例した量の電気信号に変換される。ステップＳ１０１１でその信号はプリプロセス部５０９においてアナログ処理を施される。次のステップＳ１０１２でＡ／Ｄ変換部５１０によりアナログの電気信号はデジタルデータに変換される。ステップＳ１０１３では信号処理部５１１内で、デジタル化された信号は幾つかの変換処理を為されメモリーコントローラー５１２に出力される。ステップＳ１０１４ではメモリーコントローラー５１２で信号処理部５１１から入力した画像信号をフレームメモリー５１３に蓄積し、その後メインマイコン５０１に転送して画像圧縮処理を施す。一方、ステップＳ１０１５ではフレームメモリー５１３に格納された画像信号は画像蓄積メモリー５１４にも与えられて蓄積される。ステップＳ１０１６では画像蓄積メモリー５１４内の画像信号はＰＣカードコントローラー５１５によってＰＣカード５１６等のカード型記録媒体に書き込まれる。
【０００４】
上述の従来例での構成による電子カメラに於いて、メモリーカード等の着脱可能な記録媒体に画像データを書き込んでいる最中、誤って記録媒体を取り出してしまい、記録媒体に致命的な画像データ破壊を引き起こす可能性があった。そして最悪の場合には、記録媒体上のあらゆる画像データを読み出すことができなくなるようなことがあった。このような問題の対策として特開平１０−４００２０号公報に示されるようなカード型記録媒体を収納するユニットに蓋を設け、この蓋が開いたことをカメラが検知した場合は、画像データを書き込まないといった方法が考えられている。然しこの方法はケーブルと繋がっている為、蓋が閉まらない媒体、例えばモデムやＬＡＮカード等の伝達媒体や画像キャプチャ媒体等のように突起がある媒体の使用に際しては画像データのやり取りが不可能であるという欠点を持っている。そこで、別の方法として特開平６−８４２７３号公報に示されるような記録媒体をカメラの収納ユニットに挿入した後、記録媒体や伝達媒体を容易に引き抜き出来ないようなロック機構を持ち、このロック機構が作動していることをカメラが検知した時点で、蓋の開閉に関係無く、カメラから記録媒体への画像データの書き込みが可能になるという方法も考えられている。この方法であれば蓋が閉まらなくともロック機構を作動させれば通信が可能になり、且つ不用意に記録媒体や伝達媒体等の媒体を取り出すことも無くなる。
【０００５】
然し、カード型記録媒体への書き込み動作の場合、蓋（開閉部材）を閉める動作と、ロック動作の二つの動作を行わないとカメラから画像データのやり取りが行えず、動作が複雑になるという欠点が課題として残っている。
【０００６】
本発明は、上述の欠点を除去するためのものであり、ロック部材等の阻止手段と開閉部材の両方を動作させるといった複雑な操作を行わなくても、媒体と本体間での安全なデータ通信を行うことが出来る電子機器を提供することを目的とする。
【０００７】
【課題を解決するための手段】
本発明は、下記構成を備えることにより上記課題を解決出来るものである。
【０００８】
（１）取り込んだデータを電気的に処理する電子機器であって、着脱可能な媒体を収納する収納ユニットと、該収納ユニットの一部を構成する開閉部材と、前記媒体を前記収納ユニットから取り出すことを阻止する阻止手段と、前記開閉部材が閉じている場合に、前記媒体と電子機器間のデータの通信を可能とする第一の状態と、前記開閉部材が開いている場合に、前記媒体と電子機器間のデータの通信を禁止する第二の状態と、前記阻止手段によって前記媒体の取り出しを禁止する第三の状態と、前記阻止手段によって前記媒体の取り出しを許容する第四の状態、の四つの状態を検知する第一の検知手段と、前記第一の状態か前記第三の状態の何れか若しくは、その両方の状態で、前記媒体と電子機器間のデータの通信を可能とする制御手段と、を有することを特徴とする電子機器。
【０００９】
（２）前記データの通信時に電子機器の電源電圧を検知する第二の検知手段を持ち、電源電圧が所定値以下になった場合、通信を禁止することを特徴とする前項（１）に記載の電子機器。
【００１０】
（３）収納ユニットに前記媒体が装填されていない場合は、電子機器内蔵の記録媒体にデータを記録することを特徴とする前項（１）または（２）に記載の電子機器。
【００１１】
（４）前記媒体と通信可能であるかどうかを検知する第三の検知手段を持ち、記録不可能であると判断された場合は、記録媒体のエラーであることを出力し、電子機器内蔵の記録媒体に通信すべきデータを記録することを特徴とする前項（１）または（２）に記載の電子機器。
【００１２】
（５）開閉部材は電子機器本体に対して着脱自在であることを特徴とする前項（１）〜（４）のいずれかに記載の電子機器。
【００１３】
（６）前記媒体は、記録媒体を含むことを特徴とする前項（１）〜（５）のいずれかに記載の電子機器。
【００１４】
（７）前記媒体は、伝達媒体を含むことを特徴とする前項（１）〜（６）のいずれかに記載の電子機器。
（８）取り込んだデータを電気的に処理する電子機器であって、前記電子機器に対し着脱可能な媒体を収納する収納ユニットと、前記電子機器本体に対し前記収納ユニットが開状態及び閉状態になるように構成した開閉部材と、前記媒体が前記収納ユニットから出るのを阻止する阻止手段と、前記開閉部材が開状態でかつ前記阻止手段により前記媒体が前記収納ユニットから出るのを阻止されていなければ前記電子機器と前記媒体間のデータ通信を可能としないが、前記開閉部材が閉状態であれば前記阻止手段の状態にかかわらず前記電子機器と前記媒体間のデータ通信を可能とし、前記開閉部材が開状態であっても前記阻止手段により前記媒体が前記収納ユニットから出るのを阻止されていれば前記電子機器と前記媒体間のデータ通信を可能とする制御手段と、を備えることを特徴とする電子機器。
（９）取り込んだデータを電気的に処理する電子機器であって、前記電子機器に対し着脱可能な第１の媒体の全体を収納し、かつ前記電子機器に対し着脱可能な突起のある第２の媒体を部分的に収納する収納ユニットと、前記電子機器本体に対し前記収納ユニットが開状態及び閉状態になるよう構成した開閉部材と、前記第１の媒体及び前記第２の媒体が前記収納ユニットから出るのを阻止する阻止手段と、前記第１の媒体を前記収納ユニットに収納した際に、前記開閉部材が開状態でかつ前記阻止手段により前記第１の媒体が前記収納ユニットから出るのを阻止されていなければ前記電子機器と前記第１の媒体間のデータ通信を可能としないが、前記開閉部材が閉状態であれば前記阻止手段の状態にかかわらず前記電子機器と前記第１の媒体間のデータ通信を可能とする制御手段と、を備えることを特徴とする電子機器。
（１０）取り込んだデータを電気的に処理する電子機器であって、前記電子機器に対し着脱可能な第１の媒体の全体を収納し、かつ前記電子機器に対し着脱可能な突起のある第２の媒体を部分的に収納する収納ユニットと、前記電子機器本体に対し前記収納ユニットが開状態及び閉状態になるよう構成した開閉部材と、前記第１の媒体及び前記第２の媒体が前記収納ユニットから出るのを阻止する阻止手段と、前記第２の媒体を前記収納ユニットに収納した際に、前記開閉部材が開状態でかつ前記阻止手段により前記第２の媒体が前記収納ユニットから出るのを阻止されていなければ前記電子機器と前記媒体間のデータ通信を可能としないが、前記開閉部材が開状態であっても前記阻止手段により前記第２の媒体が前記収納ユニットから出るのを阻止されていれば前記電子機器と前記第２の媒体間のデータ通信を可能とする制御手段と、を備えることを特徴とする電子機器。
【００１５】
【発明の実施の形態】
以下に本発明の実施の形態について説明する。
【００１６】
図１、２は本実施例である電子機器の例としての電子カメラの外観を示す正面斜視図及び背面斜視図である。尚、電子機器の他の例としては、パソコン等の記録再生装置でもよい。
【００１７】
図１において、１はカメラ本体であり、該カメラ本体１には撮影レンズ２が交換可能に装着できる。また、グリップ３は撮影者がカメラ本体１をホールドし易い形状になっている。該カメラ本体１上部には撮影を行う際の各種の操作部、表示部が集中している。シャッターレリーズ釦４は、一段目の押し込み（ＳＷ１）で測光及び測距演算を行い、二段目の押し込み（ＳＷ２）で露出の為の一連の動作を開始する。５は液晶を用いた上面表示パネルでシャッタースピードや絞り値といった撮影に必要な情報を表示する。６はグリップ３の上部に位置し、且つシャッターレリーズ釦４の後部に配置された電子ダイヤルであり、撮影者はこのダイヤルを操作してシャッタースピード、絞り等の操作条件を変更することが出来る。７はカメラの撮影モード（プログラム、シャッタースピード優先、絞り優先、マニュアル等）を変更することと、撮影した画像を後述の液晶表示モニターに再生画像として表示させる為の撮影モード変更及び再生釦である。図２において、８は主電源となるメインスイッチである。９は液晶の背面表示パネルであり電源の残り状態及び撮影可能枚数を表示している。１０は撮影した画像情報を消去する為のデリート釦である。１１はＳＣＳＩケーブルのポートであり、１２はＡＣアダプタ入力ポートである。また１３はファインダー接眼窓である。１４は撮影する予定の被写体をリアルタイムに表示する所謂ファインダーとして使用したり、撮影後の画像を表示して使うことの出来る液晶表示モニターを作動させる為の操作釦１４ａ、及びその液晶表示モニター１４ｂから成る液晶表示モニター部である。１５はＰＣＭＣＩＡ規格に準拠したＰＣカードと呼ばれるカード型記録媒体を収納するユニットを覆うＰＣカード蓋（開閉部材）である。
【００１８】
図３はＰＣカード蓋（開閉部材）１５を開けた状態の部分拡大図である。図３に於て、１６はＰＣカード蓋１５の開閉状態を検知する蓋開閉検知ＳＷ（第一の検知手段）である。１７はＰＣカードを出し入れする開口部で、奥の面には接続の為の６８ピンのコネクタを有している。１８は開口部１７にＰＣカードを挿入した後、不用意にカードが飛び出ないように押える役目をする阻止手段としてのロックレバーであり、図３に示す矢印Ａの方向にスライドする。１９はロックレバー１８の作動位置を検知するロック検知ＳＷ（第一の検知手段）で、２０はＰＣカードをイジェクトするイジェクトレバーである。２１はＰＣカードと電子カメラが記録または通信状態の時に点灯するＬＥＤのＰＣカードアクセス表示ランプである。
【００１９】
（第１の実施例）
図４は、第１の実施例である電子機器の例としての一眼レフタイプの電子カメラに於ける構成を示すブロック図であり、図５は撮影シーケンスを表したフローチャートである。
【００２０】
図１〜図６を用いて実際の撮影開始から撮影を終了し、その後撮影データの記録媒体への書き込みを開始するか、または伝達媒体で通信を始めるまでの一連の動作について説明する。図５において、ステップＳ５１で、メインスイッチ８をオンするとステップＳ５２においてカメラ本体１はメインマイコン２２で電池の電源状態をチェックし、更に、メインマイコン２２内のＣＰＵを初期状態にリセットした後、撮影可能なスタンバイ状態となる。ステップＳ５３では図１に示すシャッターレリーズ釦４を押す（ＳＷ１）と、ステップＳ５４で既知の測光手段及び測距手段により測光演算及び測距演算を行う。ステップＳ５５でシャッターレリーズ釦４を更に押す（ＳＷ２）と、ステップＳ５６で図４に示す絞り駆動部材２３により絞り２４を適正な光量に成るように調節する。ステップＳ５７で主ミラーをアップさせると、ステップＳ５８ではシャッターの先幕走行開始後、所定時間経過したら後幕を走行させる。ステップＳ５９で主ミラーをダウンさせた後、ステップＳ６０にて固体撮像素子（ＣＣＤやＭＯＳ等の光学像を電気的信号に変換する素子）２５に結像された被写体像のデータを固体撮像素子（ＣＣＤ等）２５内部で光電変換し電気信号として出力する。その信号はプリプロセス部２６でアナログ処理を施された後、ステップＳ６１にてアナログデータをＡ／Ｄ変換部２７でＡ／Ｄ変換し、デジタルデータに変える。ステップＳ６２において、信号処理部２８で種々の変換処理を行う。ステップＳ６３ではメモリーコントローラ２９で信号処理部２８から入力した信号をフレームメモリー３０に蓄積すると同時に画像蓄積メモリー３１にも蓄積する。ステップＳ６４ではメインマイコン２２から蓋開閉ＳＷ１６の状態を検知し、ＯＮ状態、即ちＰＣカード蓋１５が閉じた状態（図６（ａ）：ＰＣカード装填時の状態を示す平面模式図参照）であれば画像蓄積メモリー３１内の信号はＰＣカードコントローラ３２によってＰＣカード３３等のカード型記録媒体に記録されるステップＳ６５へ進み、ＯＦＦ状態、即ちＰＣカード蓋１５が開いた状態（図６（ｂ）参照）であればステップＳ６６へ進む。ステップＳ６６ではロック検知ＳＷ１９の状態を検知し、ＯＮ状態、即ちロック作動中であればステップＳ６５へ進み、ＯＦＦ状態、即ちロック解除であればカード型記録媒体への書き込みもしくは通信が出来ないと、ここで初めて判断し、ステップＳ６７で警告を上面表示パネル５または背面表示パネル９に表示するか、またはＰＣカードアクセス表示ランプ２１を点滅させるかして撮影者に伝え、ステップＳ６４へ戻る。このようにして従来はメモリーカード等のカード型記録媒体への書き込みを行う場合はロックレバー１８の解除、ＰＣカード蓋１５の開閉といった二つの動作を行わなければならなかったが、本実施例ではカード型記録媒体の場合は、ＰＣカード蓋の開閉、伝達媒体の場合はロックレバー１８の解除だけで済むので、着脱可能なカード型記録媒体であるハードディスクカード、メモリーカード以外の、例えば、モデム、アダプターといった伝達媒体等に対して蓋を開けた状態で通信が可能であり、且つ不用意にカード型記録媒体を取り出して画像データを破壊する事態を回避可能とすると同時に簡単に取り外すことも出来る。
【００２１】
（第２の実施例）
図７は第２の実施例である電子機器の例としての一眼レフタイプの電子カメラに於ける撮影シーケンスを表したフローチャートであり、ブロック図は第１の実施例と同様であるので、図４及び図７を用いて実際の撮影開始から撮影を終了し、その後撮影データの記録媒体への書き込みを開始するか、または伝達媒体で通信を始めるまでの一連の動作について説明する。ここで図７においてステップＳ６９以前の動作は第１の実施例である図５のステップＳ５１〜６３と同様なので省略する。
【００２２】
ステップＳ７０にて電源の電圧が所定値以下であるか否かをメインマイコン２２にてチェックし、所定値以下であれば、ステップＳ７１に進み、ＰＣカード３３への画像データの書き込み、通信を禁止し、警告表示する。ステップＳ７０にて所定電圧より大きい場合はステップＳ７２へ進む。ステップＳ７２以降は、図５のステップＳ６４以降と同様なので省略する。
【００２３】
このようにして電源電池の電圧状態をチェックしてからカード型記録媒体への書き込み、及び伝達媒体への通信を行うので、電圧が低下して書き込み、通信が途中で停止し、撮影データの破壊を防ぐことが出来る。
【００２４】
（第３の実施例）
図８は第３の実施例である撮影シーケンスを表したフローチャートである。
【００２５】
ここで図８においてステップＳ７９以前の動作は第１の実施例である図５のステップＳ５１〜６３と同様なので省略する。ステップＳ８０でＰＣカード３３が開口部１７に装填されているかどうかをＰＣカードコントローラ３２を介してメインマイコン２２にてチェックし、装填されていない場合はステップＳ８１に進み、カメラ１内蔵のメモリーに記憶させておく。ステップＳ８０にて装填されている場合はステップＳ８２へ進む。ステップＳ８２以降は、図５のステップＳ６４以降と同様なので省略する。
【００２６】
このようにしてＰＣカードが装填されていなくとも撮影した画像データは内蔵メモリーに記憶されるのでデータが無くなることは無い。
【００２７】
（第４の実施例）
図９は第４の実施例である撮影シーケンスを表したフローチャートである。
【００２８】
ここで図９においてステップＳ８９以前の動作は第１の実施例である図５のステップＳ５１〜６３と同様なので省略する。ステップＳ９０でＰＣカード３３が記録可能かどうかをＰＣカードコントローラ３２を介してメインマイコン２２にてチェックし、記録出来ない場合はステップＳ９１に進み、カメラ１内蔵のメモリーに記憶させておく。ステップＳ９０にて記録出来る場合はステップＳ９２へ進む。ステップＳ９２以降は、図５のステップＳ６４以降と同様なので省略する。
【００２９】
このようにして第３の実施例同様、ＰＣカードへの記録が不可能であっても撮影した画像データは内蔵メモリーに記憶されるのでデータが無くなることは無い。
【００３０】
尚、以上の実施例では、データとして画像データの例を挙げたが、文字等のデータでも良い。また、媒体としては、記録媒体や伝達媒体以外にも、信号処理用の媒体や、画像をキャプチャする為の媒体でも良い。勿論カード型でなくともスティック状や円筒形状等でも良く、どような形状であるかは問わない。
【００３１】
【発明の効果】
本発明によれば、▲１▼ケーブル等の突起が付いている為蓋が閉まらないモデムやＬＡＮカードといった伝達媒体に対しては、ロック機構の作動状態を検知して通信可能かどうかを判断し、蓋を開けた状態での通信を可能とし、また一方、装填時に蓋が邪魔にならないメモリーカードやハードディスク等の記録媒体に関しては、ロック状態に関係無く、蓋の開閉動作のみで書き込みを可能とし、簡単に媒体の取り外しが出来、且つ不用意に媒体を取り出してしまう心配を解消し、また、▲２▼電源電池の駆動電圧が低下して記録媒体への書き込みが途中で停止してしまうことを防止し、▲３▼記録媒体が装填されていなかったり、書き込み不能であってもデータは無くならず、▲４▼モデム等のケーブルを有する伝達媒体を装填する際に、蓋が邪魔になって装填しずらいといった作業上の問題を解決する、等の効果を得ることが出来る。
【図面の簡単な説明】
【図１】  本実施例における電子機器の例としての電子カメラの外観を示す正面斜視図
【図２】  本実施例における電子機器の例としての電子カメラの外観を示す背面斜視図
【図３】  ＰＣカード蓋を開けた時の詳細説明図
【図４】  第１の実施例における電子機器の例としての電子カメラの構成を示すブロック図
【図５】  第１の実施例である撮影シーケンスを表したフローチャート
【図６】  （ａ）ＰＣカード蓋が閉じた状態を示す平面模式図、（ｂ）ＰＣカード蓋が開き、且つロックレバーが作動している状態を示す平面模式図
【図７】  第２の実施例である撮影シーケンスを表したフローチャート
【図８】  第３の実施例である撮影シーケンスを表したフローチャート
【図９】  第４の実施例である撮影シーケンスを表したフローチャート
【図１０】  従来例における電子機器の例としての電子カメラの構成を示すブロック図
【図１１】  従来例における撮影シーケンスを表したフローチャート
【符号の説明】
１  カメラ（本体）
２  撮影レンズ
３  グリップ
４  シャッターレリーズ釦
５  上面表示パネル
６  電子ダイヤル
７  撮影モード変更及び再生釦
８  メインスイッチ
９  背面表示パネル
１０  デリート釦
１１  ＳＣＳＩケーブルのポート
１２  入力ポート
１３  ファインダー接眼窓
１４  液晶表示モニター部
１４ａ  操作釦
１４ｂ  液晶表示モニター
１５  ＰＣカード蓋
１６  蓋開閉検知ＳＷ
１８  ロックレバー
１９  ロック検知ＳＷ
２０  イジェクトレバー
２１  ＰＣカードアクセス表示ランプ
３３  ＰＣカード（メモリーカード、モデム等）
【図１】
0003862434.tif 000002
【図２】
0003862434.tif 000003
【図３】
0003862434.tif 000004
【図４】
0003862434.tif 000005
【図５】
0003862434.tif 000006
【図６】
0003862434.tif 000007
【図７】
0003862434.tif 000008
【図８】
0003862434.tif 000009
【図９】
0003862434.tif 000010
【図１０】
0003862434.tif 000011
【図１１】
0003862434.tif 000012